(57)【要約】【課題】意匠性、視認性を高めるとともに、目的に応じた種々の表示に利用することのできる卓上表示具を提供する。【解決手段】盤状のベース部２の中央部に円錐形状のコーン部３が直立して形成される支持体４と、この支持体４に支持される表示カード保持体６とより構成される。表示カード保持体６は、表示カード９を挟んで保持するばねクリップ部７と、このばねクリップ部７の一端部に取り付けられる支持ロッド部８とを有し、支持ロッド部８が支持体４の頂部に形成された孔５に挿入されて支持される。【選択図】図１
0003154779.tif 000002
【実用新案登録請求の範囲】
【請求項１】
盤状の基台の中央部に円錐形状のコーン部が直立して形成される支持体と、この支持体に支持される表示カード保持体とより構成され、前記表示カード保持体は、表示カードを挟んで保持するばねクリップ部と、このばねクリップ部の一端部に取り付けられる支持ロッド部とを有し、この支持ロッド部が前記支持体の頂部に形成された孔部に挿入されて支持されることを特徴とする卓上表示具。
【請求項２】
前記支持体のコーン部に沿わせて外嵌されるシート材よりなる表示体を備え、前記表示体は前記コーン部に被嵌される保持部と、この保持部に対し前記コーン部の外方へ突設される表示部とで構成されている請求項１に記載の卓上表示具。
【請求項３】
前記支持体が発光ダイオードを内蔵する照明台上に載置され、前記照明台に、前記発光ダイオードを点灯または点滅させる電源回路が内蔵される請求項１または２に記載の卓上表示具。
【考案の詳細な説明】
【技術分野】
【０００１】
本考案は、卓上に載置して利用者の注意を引くための各種の表示を行う卓上表示具に関するものである。
【背景技術】
【０００２】
従来、会議席、受付席等の卓上に載置される席札類や、商品等の宣伝・広告に用いられる表示板等の卓上表示具として、中空もしくは中実三角柱を横倒しにした形状のものや、シートを折曲して中空三角柱状に組み立てたものが多く用いられている。このほかに、人形などの装飾体に表示札を付けるようにした表示具（特許文献１）や、下縁が弧状に形成された脚体の中央部に設けた差込口に表示板の下部の差込片を差し込むことにより、揺動可能に構成した厚紙製の表示具（特許文献２）、更には円盤状の基台の中心部に設けられた支持部材の先端にカードホルダ部材を設け、このカードホルダ部材にカード、メモ帳、名刺等を挟むようにした表示具（特許文献３）などが提案されている。
【先行技術文献】
【特許文献】
【０００３】
【特許文献１】実開平４−６５３７９号公報
【特許文献２】特開２００４−６１８３５号公報
【特許文献３】特開２００５−３００７６８号公報
【０００４】
しかしながら、上記従来の三角柱状の表示具や特許文献１，２に記載の表示具では、表示板（表示カード）に表示する情報が特定情報に限られており、表示板を付け替えて種々の用途に汎用的に用いることができないという問題点がある。一方、特許文献３に記載の表示具では、カードホルダ部材に挟むカード等を交換することができるという特徴を有しているものの、意匠性、視認性を高めた表示具という点ではやや難点がある。
【考案の概要】
【考案が解決しようとする課題】
【０００５】
本考案は、前述のような問題点に鑑みてなされたもので、一般道路などで使用されるコーンをミニチュア化して使用することにより、意匠性、視認性を高めるとともに、そのミニチュア型のコーンに表示機能を持たせて、目的に応じた種々の表示に利用することのできる卓上表示具を提供することを目的とするものである。
【課題を解決するための手段】
【０００６】
前記目的を達成するために、本考案による卓上表示具は、
盤状の基台の中央部に円錐形状のコーン部が直立して形成される支持体と、この支持体に支持される表示カード保持体とより構成され、前記表示カード保持体は、表示カードを挟んで保持するばねクリップ部と、このばねクリップ部の一端部に取り付けられる支持ロッド部とを有し、この支持ロッド部が前記支持体の頂部に形成された孔部に挿入されて支持されることを特徴とするものである（第１考案）。
【０００７】
本考案においては、前記支持体のコーン部に沿わせて外嵌されるシート材よりなる表示体を備え、前記表示体は前記コーン部に被嵌される保持部と、この保持部に対し前記コーン部の外方へ突設される表示部とで構成されているのが好ましい（第２考案）。
【０００８】
また、前記支持体が発光ダイオードを内蔵する照明台上に載置され、前記照明台に、前記発光ダイオードを点灯または点滅させる電源回路が内蔵されるのが好ましい（第３考案）。
【考案の効果】
【０００９】
第１考案によれば、卓上に載置した際に安定性のある形状とされるミニチュアサイズのトラフィックコーン型の支持体が用いられ、この支持体に支持される表示カード保持体に表示カードが保持されるように構成されているので、意匠効果および視認効果を高めることができ、表示カードの記載事項を利用者に印象付けることができる。しかも、表示カードは、ばねクリップ部に挟んで保持されているので、必要に応じて容易に交換することができ、目的に応じた種々の用途の表示に汎用的に利用することができる。
【００１０】
また、第２考案の構成を採用すれば、支持体に対し、外側へ広がりを持つ表示体を、支持体のコーン部に外被させて保持させることができるので、視認効果をより高めることができるとともに、支持体に外被する表示体の表示部によって表示情報量を拡大することができて表示機能を高めることができる。
【００１１】
さらに、第３考案の構成を採用すれば、支持体を内面から発光ダイオードによって輝かせることができ、暗い場所でのムード演出などの視認効果を高めることができる。
【図面の簡単な説明】
【００１２】
【図１】本考案の第１の実施形態に係る卓上表示具の全体斜視図
【図２】本考案の第２の実施形態に係る卓上表示具の全体斜視図
【図３】本考案の第３の実施形態に係る卓上表示具に用いられる照明台の斜視図（ａ）および卓上表示具の全体斜視図（ｂ）
【考案を実施するための形態】
【００１３】
次に、本考案による卓上表示具の具体的な実施の形態について、図面を参照しつつ説明する。
【００１４】
図１には、本考案の第１の実施形態に係る卓上表示具の全体斜視図が示されている。
【００１５】
本実施形態の卓上表示具１は、外形が段付きの円盤状に形成されたベース部（基台）２と、このベース部２の中央にそのベース部２と一体に形成される円錐形のコーン部３とよりなる合成樹脂製の支持体４と、この支持体４のコーン部３の頂部に形成された孔５に挿入されて支持される表示カード保持体６とで構成されている。
【００１６】
前記支持体４は、軽量化のために、内部が中空にされるとともに、合成樹脂（本実施形態では、半透明ポリプロピレン）にて全体が薄肉に成形され、その外形寸法が、例えば地上に設置して使用されるトラフィックコーンの１／７から１／５の寸法（１７〜１８ｃｍ）に形成され、視認者が注目する色彩（ピンク、ブルー、レッド、イエロー、グリーン等）に着色されている。
【００１７】
一方、前記表示カード保持体６は、表示カード９を挟んで保持するばねクリップ部７と、このばねクリップ部７の基端部に取り付けられる支持ロッド部８とにより構成され、支持ロッド部８を支持体４頂部の孔５に挿入することで、支持体４に支持される。ここで、ばねクリップ部７は、それ自体周知の構造を有するもので、クリップ部を構成する一対の半割体がＣ型板ばね７ａにて連結されてなる構成とされ、このばねクリップ部７の一方の半割体の基端部に支持ロッド部８が一体成形されて表示カード保持体６が形成されている。こうして、ばねクリップ部７先端の一対の挟持部７ｂの内側面にて表示カード９が挟み付けられる。
【００１８】
前記表示カード９には表示部９ａが設けられ、この表示部９ａに、利用者（購買者など）に伝達すべき事項が記載、印刷もしくは貼付される。なお、表示カード９の形状としては、図示されたような長方形状のものに限らず、表示しようとする目的に応じて利用者（観者）の注目度を高める形状にすることができる。また、表示部９ａの大きさについても種々のものを採用することができる。
【００１９】
本実施形態の卓上表示具１によれば、卓上に載置した際に安定性のある形状とされるミニチュアサイズのトラフィックコーン型の支持体４が用いられており、またその支持体４が視認者の注目する色彩に着色されているので、利用者の注意を引き、意匠効果および視認効果を高めることができ、表示カード９の記載事項等を利用者に印象付けることができる。また、表示カード９は、ばねクリップ部７に挟んで保持されているので、必要に応じて容易に交換することができ、目的に応じた種々の用途の表示に汎用的に利用することができるという優れた効果がある。
【００２０】
図２には、本考案の第２の実施形態に係る卓上表示具の全体斜視図が示されている。
【００２１】
本実施形態の卓上表示具１０においては、第１の実施形態の卓上表示具１における支持体４のコーン部３に沿わせてシート材よりなる表示体１１を外嵌させるようにしたものである。表示体１１は、展開したときにほぼ扇形に形成される主体部（保持部）１２と、この主体部１２の巻き付け幅方向の両端部に折目線１３，１３を介して連設される接合縁部１４，１５とを有する形状に形成されている。そして、一方の接合縁部１４が他方の接合縁部１５よりも拡大・延設されて拡大表示部１６とされ、この拡大表示部１６に利用者に伝達すべき事項が記載、印刷もしくは貼付される。ここで、接合縁部１４，１５同士は、糊付け接合されるか、あるいは所定のピッチで形成された複数の締結用孔に締結用のファスナーを嵌め込んで相互に閉じ合わせ固定される。
【００２２】
本実施形態の卓上表示具１０によれば、支持体４に対し、外側へ広がりを持つ拡大表示部１６を、支持体４のコーン部３に外被させて保持されているので、視認効果をより高めることができるとともに、表示カード９Ａの表示部に加えて拡大表示部１６の表示面に各種の表示を行うことができ、表示機能を高めることができる。
【００２３】
図３には、本考案の第３の実施形態に係る卓上表示具に用いられる照明台の斜視図（ａ）および卓上表示具の全体斜視図（ｂ）が示されている。
【００２４】
本実施形態の卓上表示具２０においては、第１の実施形態の卓上表示具１における支持体４のベース部２を、円盤状の照明台２１上に載置するようにしたものである。照明台２１には、上面中央部に開口部２２が形成され、この開口部２２の下方に発光ダイオード２３が内蔵されるとともに、発光ダイオード２３を点灯または点滅させる電源回路および電源（電池）が内蔵されている。こうして、図３（ｂ）に示されるように、照明台２１上に支持体４のベース部２を載置し、発光ダイオード２３を点灯または点滅させることで、支持体４を内面から発光ダイオード２３の発する光によって輝かせることができ、暗い場所でのムード演出などの視認効果を高めることができる。
【産業上の利用可能性】
【００２５】
本発明の卓上表示具は、卓上に載置して使用することで、インテリア効果もあり、また種々の表示カードによって利用者への情報伝達を行うことができるので、事務机、会議テーブル、各種宴会用テーブル、商品陳列台等、いろいろな用途に利用して好適な表示具として幅広く利用することができる。
【符号の説明】
【００２６】
１，１０，２０  卓上表示具
２              ベース部（基台）
３              コーン部
４              支持体
５              孔
６              表示カード保持体
７              ばねクリップ部
８              支持ロッド部
９，９Ａ        表示カード
１１            表示体
１２            主体部（保持部）
１４，１５      接合縁部
１６            拡大表示部
【図１】
0003154779.tif 000003
【図２】
0003154779.tif 000004
【図３】
0003154779.tif 000005